(57)【要約】【課題】テンプレート選択のためのユーザの労力負担を低減する。【解決手段】利用者情報を記憶したタグカードＣと、無線通信を行うアンテナ３４５ａを有するプリンタ３と、少なくとも１つの印字オブジェクトを所望の態様でそれぞれ割り付けた、複数のテンプレートを記憶した大容量記憶装置２０７を有する管理用ＰＣ２と、を有する印刷管理システム１であって、プリンタ３が無線通信によりタグカードＣから取得した利用者情報を管理用ＰＣ２へ送信し、管理用ＰＣ２は、取得した利用者情報に応じて、大容量記憶装置２０７に記憶された複数のテンプレートの中から、取得した利用者情報に対応する少なくとも１つのテンプレートを抽出してプリンタ３へ送信し、プリンタ３は取得した少なくとも１つのテンプレートを用いた印字で印字ラベルＬを生成する。【選択図】図６
2020135484.tif 000002
【特許請求の範囲】
【請求項１】
被印字媒体を搬送する搬送手段、前記搬送手段により搬送される前記被印字媒体に所望の印字を行う印字手段、選択要因情報を記憶した通信媒体と無線通信を行う通信手段、及び、装置側制御手段、を有する可搬型印刷装置と、
少なくとも１つの印字オブジェクトを所望の態様でそれぞれ割り付けた、複数のテンプレートを記憶した端末側テンプレート記憶手段、及び、端末側制御手段、を有する管理端末と、
を有する印刷管理システムであって、
前記可搬型印刷装置の前記装置側制御手段は、
前記通信手段に対し前記通信媒体が接触又は近接したことを契機に、当該通信手段を介した前記無線通信により当該通信媒体から前記選択要因情報を取得する第１取得処理；
前記第１取得処理で取得した前記選択要因情報を前記管理端末へ送信する第１送信処理；
を実行し、
前記管理端末の前記端末側制御手段は、
前記第１送信処理で送信された前記選択要因情報を取得する第２取得処理；
前記第２取得処理で取得した前記選択要因情報に応じて、前記端末側テンプレート記憶手段に記憶された前記複数のテンプレートの中から、前記取得した選択要因情報に対応する少なくとも１つのテンプレートを抽出する抽出処理；
前記抽出処理で抽出した前記少なくとも１つのテンプレートを前記可搬型印刷装置へ送信する第２送信処理；
を実行し、
前記可搬型印刷装置の前記装置側制御手段は、
前記第２送信処理で送信された前記少なくとも１つのテンプレートを取得する第３取得処理；
前記搬送手段及び前記印字手段を制御し、前記第３取得処理で取得した前記少なくとも１つのテンプレートのうち１つのテンプレートを用いた印字を前記被印字媒体に形成して印刷物を生成する印刷処理；
を実行する
ことを特徴とする印刷管理システム。
【請求項２】
請求項１記載の印刷管理システムにおいて、
前記抽出処理では、
前記取得した選択要因情報に対応する複数のテンプレートを抽出し、
前記第２送信処理では、
前記抽出した複数のテンプレートを前記可搬型印刷装置へ送信し、
前記第３取得処理では、
前記第２送信処理で送信された前記複数のテンプレートを取得し、
前記可搬型印刷装置の前記装置側制御手段は、さらに、
前記第３取得処理で取得した前記複数のテンプレートのうち１つのテンプレートの選択を受け付ける受付処理；
を実行することを特徴とする印刷管理システム。
【請求項３】
請求項１又は請求項２記載の印刷管理システムにおいて、
前記可搬型印刷装置は、
前記テンプレートを記憶可能な装置側テンプレート記憶手段をさらに有し、
前記装置側制御手段は、さらに、
前記第３取得処理で前記少なくとも１つのテンプレートを取得するのに先立ち、前記装置側テンプレート記憶手段を初期化する初期化処理；
を実行することを特徴とする印刷管理システム。
【請求項４】
請求項１乃至請求項３のいずれか１項記載の印刷管理システムにおいて、
前記管理端末は、
前記選択要因情報と対応する前記テンプレートとを対応づけるための相関を記憶した、相関記憶手段をさらに有し、
前記抽出処理では、
前記相関を参照して、前記第２取得処理で取得した前記選択要因情報に対応する少なくとも１つのテンプレートを特定するとともに、前記端末側テンプレート記憶手段に記憶された前記複数のテンプレートの中から、前記特定した少なくとも１つのテンプレートを抽出する
ことを特徴とする印刷管理システム。
【請求項５】
請求項４記載の印刷管理システムにおいて、
前記相関記憶手段は、
前記選択要因情報としての利用者情報と、前記テンプレートに関連づけられた取引先情報と、の相関を記憶しており、
前記抽出処理では、
前記相関を参照して、前記第２取得処理で取得した前記利用者情報に対応する前記取引先情報に関連づけられた少なくとも１つのテンプレートを特定するとともに、前記端末側テンプレート記憶手段に記憶された前記複数のテンプレートの中から、前記特定した少なくとも１つのテンプレートを抽出する
ことを特徴とする印刷管理システム。
【請求項６】
請求項４記載の印刷管理システムにおいて、
前記相関記憶手段は、
前記選択要因情報としての利用者情報と、前記テンプレートに関連づけられた業務情報と、の相関を記憶しており、
前記抽出処理では、
前記相関を参照して、前記第２取得処理で取得した前記利用者情報に対応する前記業務情報に関連づけられた少なくとも１つのテンプレートを特定するとともに、前記端末側テンプレート記憶手段に記憶された前記複数のテンプレートの中から、前記特定した少なくとも１つのテンプレートを抽出する
ことを特徴とする印刷管理システム。
【請求項７】
請求項５又は請求項６記載の印刷管理システムにおいて、
前記印刷処理では、
前記１つのテンプレートを用いた印字、及び、前記第２取得処理で取得した前記利用者情報に対応した印字、を前記被印字媒体に形成して前記印刷物を生成する
ことを特徴とする印刷管理システム。
【請求項８】
少なくとも１つの印字オブジェクトを所望の態様でそれぞれ割り付けた、複数のテンプレートを記憶したテンプレート記憶手段と、
制御手段と、
を有する管理端末であって、
前記制御手段は、
選択要因情報を記憶した通信媒体の接触又は近接を契機に可搬型印刷装置が前記通信媒体から取得して送信した前記選択要因情報を、取得する取得処理；
前記取得処理で取得した前記選択要因情報に応じて、前記テンプレート記憶手段に記憶された前記複数のテンプレートの中から、前記取得した選択要因情報に対応する少なくとも１つのテンプレートを抽出する抽出処理；
前記抽出処理で抽出した前記少なくとも１つのテンプレートを前記可搬型印刷装置へ送信する送信処理；
を実行する
ことを特徴とする管理端末。
【請求項９】
少なくとも１つの印字オブジェクトを所望の態様でそれぞれ割り付けた、複数のテンプレートを記憶したテンプレート記憶手段と、演算手段と、を有する管理端末の、前記演算手段に対し、
選択要因情報を記憶した通信媒体の接触又は近接を契機に可搬型印刷装置が前記通信媒体から取得して送信した前記選択要因情報を、取得する取得手順と、
前記取得手順で取得した前記選択要因情報に応じて、前記テンプレート記憶手段に記憶された前記複数のテンプレートの中から、前記取得した選択要因情報に対応する少なくとも１つのテンプレートを抽出する抽出手順と、
前記抽出手順で抽出した前記少なくとも１つのテンプレートを前記可搬型印刷装置へ送信する送信手順と、
を実行させるための、印刷管理プログラム。
【発明の詳細な説明】
【技術分野】
【０００１】
本発明は、被印字媒体に所望の印刷を行う印刷管理システム、管理端末、及び印刷管理プログラムに関する。
【背景技術】
【０００２】
被印字媒体に印刷を行う印刷装置において、印刷対象のテンプレートの自動選択を当該印刷対象のテンプレートに入力されるデータの送信を介してホスト側がコントロールする技術が既に知られている（例えば、特許文献１参照）。この従来技術では、ホストから受信した受信データに含まれている項目データや項目データ数に対応したテンプレートを印刷装置が自動的に選択して、印刷物が作成される。
【先行技術文献】
【特許文献】
【０００３】
【特許文献１】特開２００８−１２５０３１号公報
【発明の概要】
【発明が解決しようとする課題】
【０００４】
しかしながら上記従来技術では、印刷させたい多数の項目データをあらかじめユーザがホスト側に入力する手間が必要であり、操作が煩雑となっていた。また、印刷装置自体が備える記憶装置に多数あるテンプレートを全て記憶させておく必要があるため、印刷装置の記憶領域を圧迫し性能を低下させる要因となっていた。
【０００５】
本発明の目的は、テンプレート選択のためのユーザの労力負担を低減できる印刷管理システム、管理端末、及び印刷管理プログラムを提供することにある。
【課題を解決するための手段】
【０００６】
上記目的を達成するために、本願発明は、被印字媒体を搬送する搬送手段、前記搬送手段により搬送される前記被印字媒体に所望の印字を行う印字手段、選択要因情報を記憶した通信媒体と無線通信を行う通信手段、及び、装置側制御手段、を有する可搬型印刷装置と、少なくとも１つの印字オブジェクトを所望の態様でそれぞれ割り付けた、複数のテンプレートを記憶した端末側テンプレート記憶手段、及び、端末側制御手段、を有する管理端末と、を有する印刷管理システムであって、前記可搬型印刷装置の前記装置側制御手段は、前記通信手段に対し前記通信媒体が接触又は近接したことを契機に、当該通信手段を介した前記無線通信により当該通信媒体から前記選択要因情報を取得する第１取得処理；前記第１取得処理で取得した前記選択要因情報を前記管理端末へ送信する第１送信処理；を実行し、前記管理端末の前記端末側制御手段は、前記第１送信処理で送信された前記選択要因情報を取得する第２取得処理；前記第２取得処理で取得した前記選択要因情報に応じて、前記端末側テンプレート記憶手段に記憶された前記複数のテンプレートの中から、前記取得した選択要因情報に対応する少なくとも１つのテンプレートを抽出する抽出処理；前記抽出処理で抽出した前記少なくとも１つのテンプレートを前記可搬型印刷装置へ送信する第２送信処理；を実行し、前記可搬型印刷装置の前記装置側制御手段は、前記第２送信処理で送信された前記少なくとも１つのテンプレートを取得する第３取得処理；前記搬送手段及び前記印字手段を制御し、前記第３取得処理で取得した前記少なくとも１つのテンプレートのうち１つのテンプレートを用いた印字を前記被印字媒体に形成して印刷物を生成する印刷処理；を実行することを特徴とする。
【０００７】
本願発明においては、可搬型の印刷装置をユーザ（利用者）が持ち出してテンプレートを用いた印刷を行うときの、利便性を向上する。
【０００８】
すなわち、ユーザは、例えば可搬型の印刷装置を持ち出そうとする際に、通信媒体を印刷装置の通信手段に対し接触又は近接させる（以下適宜、単に「かざす」と称する）。すると、印刷装置の装置側制御手段により通信媒体から上記選択要因情報が取得され（第１取得処理）、さらに管理端末へと送信される（第１送信処理）。
【０００９】
送信された上記選択要因情報は、管理端末の端末側制御手段により取得される（第２取得処理）。このとき、予め管理端末のテンプレート記憶手段（端末側テンプレート記憶手段）には、複数のテンプレートが記憶されている。端末側制御手段は、上記取得した選択要因情報に応じて、上記記憶された複数のテンプレートの中から、対応する少なくとも１つのテンプレートを抽出（抽出処理）した後、印刷装置へと送信する（第２送信処理）。送信された上記テンプレートは、印刷装置の装置側制御手段により取得される（第３取得処理）。
【００１０】
これにより、ユーザが通信端末を印刷装置にかざすだけで、管理端末に記憶されていた複数のテンプレートのうち、上記通信端末の選択要因情報（例えばユーザの利用者情報等）に対応するテンプレートが印刷装置へと送信され、取得される。その後、印刷装置では、取得されたテンプレートを用いて対応する印字が被印字媒体に形成されることで、印刷物が形成される。
【００１１】
以上のように、本願発明においては、通信端末内の選択要因情報に対応するテンプレートだけが印刷装置において取得され、使用可能となる。これにより、印刷装置内に予め多数のテンプレートが使用可能に記憶されている場合のように、印刷実行時にユーザが１つのテンプレートを苦労して探し出す必要が無く、テンプレート選択のためのユーザの労力負担を低減することができる。
【００１２】
また、上記目的を達成するために、本願発明は、少なくとも１つの印字オブジェクトを所望の態様でそれぞれ割り付けた、複数のテンプレートを記憶したテンプレート記憶手段と、制御手段と、を有する管理端末であって、前記制御手段は、選択要因情報を記憶した通信媒体の接触又は近接を契機に可搬型印刷装置が前記通信媒体から取得して送信した前記選択要因情報を、取得する取得処理；前記取得処理で取得した前記選択要因情報に応じて、前記テンプレート記憶手段に記憶された前記複数のテンプレートの中から、前記取得した選択要因情報に対応する少なくとも１つのテンプレートを抽出する抽出処理；前記抽出処理で抽出した前記少なくとも１つのテンプレートを前記可搬型印刷装置へ送信する送信処理；を実行することを特徴とする。
【００１３】
また、上記目的を達成するために、本願発明は、少なくとも１つの印字オブジェクトを所望の態様でそれぞれ割り付けた、複数のテンプレートを記憶したテンプレート記憶手段と、演算手段と、を有する管理端末の、前記演算手段に対し、選択要因情報を記憶した通信媒体の接触又は近接を契機に可搬型印刷装置が前記通信媒体から取得して送信した前記選択要因情報を、取得する取得手順と、前記取得手順で取得した前記選択要因情報に応じて、前記テンプレート記憶手段に記憶された前記複数のテンプレートの中から、前記取得した選択要因情報に対応する少なくとも１つのテンプレートを抽出する抽出手順と、前記抽出手順で抽出した前記少なくとも１つのテンプレートを前記可搬型印刷装置へ送信する送信手順と、を実行させる。
【発明の効果】
【００１４】
本発明によれば、テンプレート選択のためのユーザの労力負担を低減できる。
【図面の簡単な説明】
【００１５】
【図１】本発明の一実施形態のプリンタを、タグカードと共に示すシステム構成図である。
【図２】プリンタの外観構造を表す斜視図である。
【図３】カートリッジカバーを開いた状態のプリンタの外観を表す斜視図である。
【図４】カートリッジの内部構造を表す概念的平面図である。
【図５】プリンタ、タグカードＣ、及び管理用ＰＣの機能的構成を表すブロック図である。
【図６】取引先情報に対応するテンプレートを取得する場合に、タグカードＣ、プリンタ、及び管理用ＰＣの間で送受される情報の処理と流れを表す図である。
【図７】取引先情報に対応するテンプレートを利用して作成した印字ラベルの一例を表す図である。
【図８】管理用ＰＣのＣＰＵ、プリンタの制御回路、及びユーザのそれぞれによって実行される操作及び制御の内容の一例を表すシーケンスチャートである。
【図９】業務情報に対応するテンプレートを取得する場合に、タグカードＣ、プリンタ、及び管理用ＰＣの間で送受される情報の処理と流れを表す図である。
【図１０】業務情報に対応するテンプレートを利用して作成した印字ラベルの一例を表す図である。
【発明を実施するための形態】
【００１６】
以下、本発明の一実施の形態を図面を参照しつつ説明する。
【００１７】
図１において、印刷管理システム１は、例えば汎用パーソナルコンピュータで構成される管理用ＰＣ２と、例えばＬＡＮ等の通信ネットワークＮＷを介して相互に情報送受可能に接続可能なプリンタ３と、このプリンタ３に近接されることでプリンタ３との間で近距離通信（詳細は後述）による情報送受信を実行可能なタグカードＣと、を有している。この例においてプリンタ３は可搬型のものであり、上記通信ネットワークＮＷとの接続が着脱可能となっている。なお、図示する例では通信ネットワークＮＷが有線ＬＡＮで接続する構成のものを示しているが、その他にもＵＳＢ接続や無線ＬＡＮ等の無線通信で実装してもよい。なお、上記の管理用ＰＣ２が請求項記載の管理端末に相当し、プリンタ３が請求項記載の可搬型印刷装置に相当し、タグカードＣが請求項記載の通信媒体に相当する。
【００１８】
＜プリンタの構成＞
図２及び図３を用いて、上記プリンタ３の概略構成について説明する。
【００１９】
図２及び図３に示すように、プリンタ３は、その外郭を構成する筐体３０２を備える。筐体３０２は、装置下面を構成しかつ装置側面と一体となった樹脂製の下カバー３１５と、装置上面を構成する樹脂製の上カバー３１７とにより構成されている。
【００２０】
下カバー３１５の側面には、凹部３１５ｂと、当該凹部３１５ｂ内の奥部の中央に形成され、印字済ラベル用テープ１０９（後述の図４参照）を排出する排出口３１５ａと、を備えている。
【００２１】
上カバー３１７には、前方向から後方向に向けて、文字入力等の種々の操作が行われるキーボード３０３と、印刷ボタンや電源ボタン等を含む、プリンタ３の各種機能を実行させるための機能キー群３０４と、例えば矩形開口状の開口部を塞ぐように装着された表示部３０７とが設けられている。
【００２２】
また、プリンタ３の上面後部側には、カートリッジ８を着脱可能なカートリッジホルダ３０９が設けられている。上記上カバー３１７は、テープカセット状のカートリッジ８を装着するためのカートリッジカバー３１７ａを備えている。カートリッジホルダ３０９は、カートリッジカバー３１７ａによって常には閉塞される（図２参照）一方、カートリッジカバー３１７ａを開放することで、露出される（図３参照）。またこのカートリッジカバー３１７ａの端部に、欠き取り部３１７ｂが設けられている。そしてこの欠き取り部３１７ｂに収納されるように、上記印字済ラベル用テープ１０９をカットするための操作レバーであるカットレバー３５０が設けられている。
【００２３】
次に、カートリッジ８及びカートリッジホルダ３０９の詳細構造を図４を用いて説明する。カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である透明な被印字テープ１０３が巻回された第２ロール１０４（実際は渦巻き状であるが、図では簡略的に同心円状に示す）と、インクリボン１０５（但し被印字テープ１０３が感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７とを有する。なお、被印字テープ１０３が、請求項記載の被印字媒体に相当する。
【００２４】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記被印字テープ１０３を巻回している。
【００２５】
テープ送りローラ２７は、上記基材テープ１０１と上記被印字テープ１０３とを押圧し接着させ上記印字済ラベル用テープ１０９としつつテープ送りを行う。
【００２６】
また、印字済ラベル用テープ１０９の搬送経路に沿ってテープ送りローラ２７及び圧着ローラ２８の下流側（すなわち後述の印字ヘッド２３よりも下流側）には、固定刃４０と、上記カットレバー５０の手動操作により上記固定刃４０に対し前進し固定刃４０との協働により印字済ラベル用テープ１０９を厚さ方向に切断する可動刃４１と、が設けられている。
【００２７】
一方、カートリッジホルダ３０９には、カートリッジ８内の使用済みの上記インクリボン１０５を巻き取るためのリボン巻取りローラ駆動軸１０７と、上記印字済ラベル用テープ１０９を搬送するためのテープ送りローラ駆動軸１０８とが設けられている。なお、このテープ送りローラ駆動軸１０８が、請求項記載の搬送手段に相当する。前述のリボン巻取りローラ１０６及びテープ送りローラ２７は、不図示の搬送ローラ用モータの駆動力が上記リボン巻取りローラ駆動軸１０７及び上記テープ送りローラ駆動軸１０８に伝達されることによって、連動して回転駆動される。またカートリッジホルダ３０９には、搬送される被印字テープ１０３に所望の印刷を行う印字ヘッド２３が、カートリッジ８の装着時にその開口部に位置するように設けられている。なお、この印字ヘッド２３が、請求項記載の印字手段に相当する。なお、印字ヘッド２３は、上記可動刃４１及び固定刃４０と、テープ搬送経路に沿って所定の離間距離で離間するよう配置されている。また、カートリッジホルダ３０９には、当該カートリッジホルダ３０９に装着されたカートリッジ８の種類（言い換えれば被印字テープ１０３のテープ幅等の各種テープ属性を表す被印字テープ１０３の種類）を公知の手法で検出するカートリッジセンサ３０９Ａを備えている。
【００２８】
＜印字テープ作成動作概略＞
上記構成において、カートリッジ８が上記カートリッジホルダ３０９に装着されると、被印字テープ１０３及びインクリボン１０５が印字ヘッド２３とこれに対向するプラテンローラ２６との間に狭持される。また、基材テープ１０１及び被印字テープ１０３が、テープ送りローラ２７とこれに対向する圧着ローラ２８との間に狭持される。そして、リボン巻取りローラ１０６及びテープ送りローラ２７が図４中矢印Ｂ及び矢印Ｃで示す方向にそれぞれ同期して回転駆動される。これにより、テープ送りローラ２７、圧着ローラ２８、及びプラテンローラ２６が回転し、第１ロール１０２から基材テープ１０１が繰り出され、テープ送りローラ２７へ供給される。一方、第２ロール１０４からは被印字テープ１０３が繰り出されるとともに、不図示の印刷駆動回路により印字ヘッド２３の複数の発熱素子が通電される。この結果、被印字テープ１０３の裏面に印字が印刷される。
【００２９】
そして、上記基材テープ１０１と上記印刷が終了した被印字テープ１０３とが上記テープ送りローラ２７及び圧着ローラ２８により接着されて一体化されて印字済ラベル用テープ１０９として形成され、テープ排出部よりカートリッジ８外へと搬出される。
【００３０】
被印字テープ１０３への印字が終了したインクリボン１０５は、リボン巻取りローラ駆動軸１０７の駆動によりリボン巻取りローラ１０６に巻取られる。
【００３１】
上記のようにしてカートリッジ８外へ搬出された印字済ラベル用テープ１０９は、上記カットレバー５０の手動操作に基づく固定刃４０及び可動刃４１の協働によって切断され、印刷物としての印字ラベルＬ（後述の図６等参照））が生成される。このときの切断は、前述したように、ユーザによる上記カットレバー５０の手動操作が図示しない機構を介し可動刃４１に伝えられ、可動刃４１が固定刃４０に対し前進して可動刃４１と固定刃４０とが鋏状に閉じ合わされることで、行われる。
【００３２】
＜印刷管理システムの機能的構成＞
図５を用いて、プリンタ３、タグカードＣ、及び管理用ＰＣ２の機能的構成を説明する。
【００３３】
＜プリンタの機能的構成＞
図５において、プリンタ３は、被印字テープ１０３に所望の印刷を行う上記印字ヘッド２３と、上記プラテンローラ２６と、制御回路３４１と、例えばＲＡＭやＲＯＭ等からなるメモリ３４２と、所望の表示を行う上記表示部３４３と、ユーザからの入力操作を受け付ける操作部３４４と、ＮＦＣ用通信部３４５と、アンテナ３４５ａと、機器通信制御部３４６と、を有している。制御回路３４１は、図示しないＲＡＭの一時記憶機能を利用しつつ図示しないＲＯＭ又はメモリ３４２に予め記憶されたプログラムに従って信号処理を行うことで、プリンタ３全体の制御を行う。なお、上記制御回路３４１が請求項記載の装置側制御手段に相当し、メモリ３４２が請求項記載の装置側テンプレート記憶手段に相当する。
【００３４】
ＮＦＣ用通信部３４５は、プリンタ３とタグカードＣとの間で、アンテナ３４５ａを介して行われる、通信距離が比較的短い（例えば数１０ｃｍ程度の）近距離無線通信であるＮＦＣ通信（Ｎｅａｒ  Ｆｉｅｌｄ  Ｃｏｍｍｕｎｉｃａｔｉｏｎ）の制御を行う。なお、アンテナ３４５ａが、請求項記載の通信手段に相当する。
【００３５】
機器通信制御部３４６は、上述した有線通信ネットワークＮＷの接続を介して管理用ＰＣ２との情報送受を制御する。なお、特に図示しない無線通信ネットワークで接続する場合には別途で無線通信用のアンテナを設ける必要がある。
【００３６】
メモリ３４２には、後述する図８に示すプリンタ３の処理を実行するための印刷処理プログラムを含む各種プログラムが記憶されている。またこのメモリ３４２には、後述するテンプレートのデータを記憶するための記憶領域も確保されている。表示部３４３には、所望の表示（例えば、ユーザによるラベル編集時に編集したラベルイメージ等の表示等）が行われる。操作部３４４は、例えばキーボードを備えてユーザからの各種指令やデータの入力操作が行われる。
【００３７】
＜タグカードの機能的構成＞
タグカードＣは、ＮＦＣ通信媒体の一種であり、タグアンテナ１５１と、ＩＣ回路部１５０とを有し、ＩＣ回路部１５０は、メモリ部１５５と、タグ制御部１５７とを有している。
【００３８】
メモリ部１５５はタグ制御部１５７と接続されている。メモリ部１５５及び上記タグアンテナ１５１は、上記タグ制御部１５７によって制御される。
【００３９】
タグアンテナ１５１は、上記タグ制御部１５７の制御に従い、上記プリンタ３のアンテナ３４５ａとの間のＮＦＣ通信により、プリンタ３との間で情報を送受信可能である。このＮＦＣ通信には、例えば１３．５６ＭＨｚ帯が利用される。これにより、ユーザがタグカードＣを手に持ってプリンタ３のアンテナ３４５ａに対し、接触させる、又は、かざすすなわち近接させる（以下適宜、これらの操作を総称して単に「かざす」と称する）ことにより、タグカードＣとプリンタ３とのＮＦＣ通信が確立する。
【００４０】
＜管理用ＰＣの機能的構成＞
管理用ＰＣ２は、ＣＰＵ２０１と、例えばＲＡＭやＲＯＭ等からなるメモリ２０２と、ユーザからの指示や情報が入力される操作部２０３と、各種情報やメッセージを表示する表示部２０４と、プリンタ３との情報授受の制御を行う機器通信制御部２０５と、カレンダ部２０６と、大容量記憶装置２０７とを備えている。
【００４１】
ＣＰＵ２０１は、ＲＡＭの一時記憶機能を利用しつつＲＯＭや大容量記憶装置２０７に予め記憶されたプログラムに従って、各種の処理やプリンタ３等との間で各種の指示信号・情報信号の送受を行う。
【００４２】
カレンダ部２０６は、その時点の日付や時間を計時して出力する時計機能を有している。
【００４３】
大容量記憶装置２０７は、例えばＨＤＤなどで構成されて各種のプログラムや情報を不揮発的に記憶するものであり、この例では後述する全てのテンプレートのデータを記憶し検索可能なテンプレートデータベースと、後述する各利用者のスケジュールを記憶し管理するスケジュールデータベースを記憶している（後述の図６参照）。
【００４４】
なお、上記のＣＰＵ２０１が請求項記載の端末側制御手段、制御手段、及び演算手段に相当し、大容量記憶装置２０７が請求項記載の端末側テンプレート記憶手段、テンプレート記憶手段、及び相関記憶手段に相当する。
【００４５】
＜本実施形態の特徴＞
上記基本構成の本実施形態において、その特徴は、ユーザがタグカードＣをプリンタ３にかざすことで、ユーザが使用する可能性の高いテンプレートだけを自動的に選択し取得できることにある。以下、その詳細を順を追って説明する。
【００４６】
＜各取引先に対応したテンプレートの取得＞
本実施形態の例では、複数のユーザがそれぞれ異なる複数の取引先を担当しており、それら複数のユーザが共有する１つのプリンタ３に対してある１人のユーザが利用者となって当該ユーザが担当する取引先で使用するテンプレートを取得する場合について説明する。
【００４７】
まずプリンタ３がテンプレートを取得する際には、プリンタ３を通信ネットワークＮＷを介して管理用ＰＣ２に接続しておく。そして、例えば図６に示すように、上記タグカードＣのメモリ部１５５には、あらかじめテンプレートの取得を指示する取得コマンドと、当該タグカードＣを所有するユーザの利用者情報（図６に示す例では「利用者Ｂ」）が記憶されている。なお、この利用者情報が、請求項記載の選択要因情報に相当する。
【００４８】
ユーザが、タグカードＣを手に持ってプリンタ３（詳細には上記アンテナ３４５ａ。以下同様）にかざすと、タグカードＣとのＮＦＣ通信により、メモリ部１５５に記憶されている上記取得コマンドと上記利用者情報「利用者Ｂ」とが、プリンタ３に送信される。これにより、プリンタ３に当該利用者情報「利用者Ｂ」がその時点で使用する可能性の高いテンプレートの取得が指示され、管理用ＰＣ２へ利用者情報「利用者Ｂ」が送信される。なお、この利用者情報の具体的なデータ内容は、当該利用者の氏名を表すテキストデータであってもよいし、もしくは当該利用者を一意的に特定可能に付与されたＩＤデータであってもよい。
【００４９】
そして管理用ＰＣ２の大容量記憶装置２０７には、上述したスケジュールデータベース２１１（図中ではデータベースを「ＤＢ」と略記、以下同様）とテンプレートデータベース２１２が記憶されている。スケジュールデータベース２１１は、年月日の日にちごとに複数のユーザがそれぞれ対応する取引先の情報が記録されている。テンプレートデータベース２１２は、あらかじめ各取引先ごとに使用することを想定して作成されているテンプレートが全て記録されている。なお、これらスケジュールデータベース２１１とテンプレートデータベース２１２が、請求項記載の選択要因情報と対応するテンプレートとを対応づける相関に相当し、スケジュールデータベース２１１が請求項記載の選択要因情報としての利用者情報と、テンプレートに関連づけられた取引先情報と、の相関に相当する。
【００５０】
そして上記のようにプリンタ３から利用者情報を受信した管理用ＰＣ２は、まず内部のカレンダ部２０６から出力されるその時点の年月日のカレンダ情報（図示する例では「１月１１日」）を検索キーとして、そのカレンダ情報に対応する１日分の取引先スケジュールを検索し、参照する。その取引先スケジュールには、当該印刷管理システム１を利用する複数の利用者ごとに、当該カレンダ情報の年月日で当該利用者が対応する予定の取引先の情報が記録されている。そしてスケジュールデータベース２１１では、参照する取引先スケジュールにおいて受信した利用者情報を検索キーとし、その利用者情報「利用者Ｂ」に対応する取引先情報（図示する例では「取引先Ｄ」、「取引先Ｋ」）を検索し、出力する。
【００５１】
次に管理用ＰＣ２は、上記スケジュールデータベース２１１から出力された取引先情報を検索キーとして、その取引先情報に対応する少なくとも１つのテンプレートをテンプレートデータベース２１２で検索し、抽出する。つまり、このように抽出されたテンプレートは、利用者（「利用者Ｂ］）がその日に対応する予定の取引先（「取引先Ｄ」、「取引先Ｋ」）で使用する可能性が高い情報を含んだテンプレートとなる。そして管理用ＰＣ２は、抽出されたテンプレート（図示する例では「取引先Ｄ」のものが３つ、「取引先Ｋ」のものが２つ）をプリンタ３へ返信する。
【００５２】
以上のように印刷管理システムが処理することで、利用者がその日に使用する可能性の高いテンプレートだけを選別して管理用ＰＣ２からダウンロードし、プリンタ３に記憶させることができる。このため、プリンタ３のメモリ３４２に記憶させるテンプレートのデータ容量を大幅に抑えることができ、さらにその中から利用者が実際に使用するテンプレートの選別操作の負担を大幅に軽減できる。
【００５３】
図７には、以上のようにプリンタ３が取得したテンプレートを利用して作成した印字ラベルＬの一例を表している。図示する例では、印字ラベルＬは取引先Ｄに納品している物品の検品証であり、印字ラベルＬの矩形表示領域のうちの左端位置に取引先Ｄのロゴマークが印刷され、その右側の上方位置に検品番号が印刷され、右側の下方位置に利用者Ｂの氏名が検品者として印刷されている。テンプレートは、これらロゴマーク、検品番号、及び検品者等の各印字オブジェクトそれぞれについて、それぞれの配置、スタイル、ポイント、及び印字内容などの情報があらかじめ所定の態様で割り付けられた印字データである。そしてユーザは、必要に応じてプリンタ３の操作部を介したテンプレートの編集操作を行い、これをプリンタ３に印刷させて印字ラベルＬを作成する。
【００５４】
編集操作においては、図示する検品番号のようにユーザが任意の情報を記入してもよいし、検品者のようにユーザ（利用者）の氏名を記入してもよい。このとき利用者の氏名については、プリンタ３がタグカードＣから受信した利用者情報のデータ内容が当該利用者の氏名のテキストデータであればそのままプリンタ３が自動的に記入させてもよい。また、利用者情報のデータ内容がＩＤデータである場合には、別途ＩＤデータと氏名テキストデータとを対応させた氏名データベースを記憶させておき、そこから氏名テキストデータを取得して印字もよい。なお、以上の場合の利用者の氏名の印字が、請求項記載の利用者情報に対応した印字に相当する。
【００５５】
＜印刷管理システムの制御手順＞
上記の処理を実現するために管理用ＰＣ２のＣＰＵ２１０、プリンタ３の制御回路３４１、及びユーザのそれぞれによって実行される操作及び制御の内容の一例を、図８のシーケンスチャートにより説明する。
【００５６】
図８において、まず、ステップＳＵ５で、ユーザは、前述のように当該ユーザが所有するタグカードＣをプリンタ３のアンテナ３４５ａにかざし、当該タグカードＣが記憶する利用者情報をＮＦＣ通信を介してプリンタ３に送信する。
【００５７】
次に、ステップＳＰ５で、プリンタ３の制御回路３４１は、上記ステップＳＵ５で送信された利用者情報をアンテナ３４５ａから受信する。なお、このステップＳＰ５の手順が請求項記載の第１取得処理及び取得処理に相当する。
【００５８】
次にステップＳＰ１０で、プリンタ３の制御回路３４１は、上記ステップＳＰ５で受信した利用者情報を通信ネットワークＮＷを介して管理用ＰＣ２に送信する。なお、このステップＳＰ１０の手順が請求項記載の第１送信処理に相当する。
【００５９】
次にステップＳＰ１５で、プリンタ３の制御回路３４１は、その時点でメモリ３４２に記憶しているテンプレートを全て消去して初期化する。なお、このステップＳＰ１５の手順が請求項記載の初期化処理に相当する。
【００６０】
そしてステップＳＳ５で、管理用ＰＣ２のＣＰＵ２１０は、上記ステップＳＰ１０で送信された利用者情報を受信する。なお、このステップＳＳ５の手順が請求項記載の第２取得処理、取得処理、及び取得手順に相当する。
【００６１】
次にステップＳＳ１０で、管理用ＰＣ２のＣＰＵ２１０は、上記ステップＳＳ５で受信した利用者情報に対応する取引先情報をスケジュールデータベース２１１で検索する。具体的には、上述したようにカレンダ部が出力したカレンダ情報の年月日に対応する取引先スケジュールを参照し、受信した利用者情報を検索キーとして対応する取引先情報を検索し、出力する。
【００６２】
次にステップＳＳ１５で、管理用ＰＣ２のＣＰＵ２１０は、上記ステップＳＳ１０で出力した取引先情報を検索キーとし、対応する少なくとも１つのテンプレートをテンプレートデータベース２１２で検索し、出力する。なお、以上のステップＳＳ１０及びステップＳＳ１５の手順が請求項記載の抽出処理及び抽出手順に相当する。
【００６３】
次にステップＳＳ２０で、管理用ＰＣ２のＣＰＵ２１０は、上記ステップＳＳ１５で出力したテンプレートを通信ネットワークＮＷを介してプリンタ３に送信する。なお、このステップＳＳ２０の手順が請求項記載の第２送信処理、送信処理、及び送信手順に相当する。
【００６４】
次にステップＳＰ２５で、プリンタ３の制御回路３４１は、上記ステップＳＳ２０で送信されたテンプレートを受信し、メモリ３４２に記憶する。なお、このステップＳＰ２５の手順が請求項記載の第３取得処理に相当する。
【００６５】
この時点でプリンタ３は、ユーザが使用する可能性の高いテンプレートをメモリ３４２に記憶した状態となる。このため、ユーザは通信ネットワークＮＷの接続を外し、可搬型のプリンタ３を取引先の作業現場へ持ち出すことも可能となる。
【００６６】
そして作業現場では、ステップＳＵ１０で、ユーザが、プリンタ３の操作部を介して使用するテンプレートの選択操作を行う。
【００６７】
次にステップＳＰ２５で、プリンタ３の制御回路３４１は、ユーザからの選択操作を受け付けてメモリ３４２に記憶しているテンプレートの中から実際に使用するテンプレートを選択する。なお、このステップＳＰ２５の手順が請求項記載の受付処理に相当する。
【００６８】
次にステップＳＰ３０で、プリンタ３の制御回路３４１は、上記ステップＳＰ２５で選択されたテンプレートに上記ステップＳＰ５で受信した利用者情報を合成（所定の印字オブジェクトに記入）して最終的な印刷データを生成する。なお、特に図示しないが、ここでユーザが操作部を介してテンプレートの印字オブジェクトに任意の情報を記入するなどの適宜の編集操作を行って印刷データを生成してもよい。
【００６９】
次にステップＳＰ３５で、プリンタ３の制御回路３４１は、上記ステップＳＰ３０で生成した印刷データを被印字テープ１０３に印字し、印字ラベルＬを作成する。そして、このシーケンスが終了する。なお、このステップＳＰ３５の手順が請求項記載の印刷処理に相当する。
【００７０】
＜本実施形態の効果＞
以上説明したように、本実施形態の印刷管理システムでは、タグカードＣ内の利用者情報に対応するテンプレートだけがプリンタ３において取得され、使用可能となる。これにより、プリンタ３内に予め多数のテンプレートが使用可能に記憶されている場合のように、印刷実行時にユーザが１つのテンプレートを苦労して探し出す必要が無く、テンプレート選択のためのユーザの労力負担を低減することができる。
【００７１】
また、本実施形態では特に、上記ステップＳＳ１０及びステップＳＳ１５の手順では、管理用ＰＣ２が取得した利用者情報に対応する複数のテンプレートを抽出し、ステップＳＳ２０の手順では、抽出した複数のテンプレートをプリンタ３へ送信し、ステップＳＰ２０の手順では、上記ステップＳＳ２０で送信された複数のテンプレートを取得し、プリンタ３の制御回路３４１は、さらに、ステップＳＰ２０の手順で取得した複数のテンプレートのうち１つのテンプレートの選択を受け付けるステップＳＰ２５の手順を実行する。これにより、タグカードＣ内の利用者情報に対応して管理用ＰＣ２から取得されたいくつかのテンプレートの中から、ユーザが選択した所望の１つのテンプレートを印刷実行時に確実に使用することができる。
【００７２】
また、本実施形態では特に、プリンタ３は、テンプレートを記憶可能なメモリ３４２をさらに有し、制御回路３４１は、さらに、ステップＳＰ２０の手順で少なくとも１つのテンプレートを取得するのに先立ち、メモリ３４２内のテンプレート記憶領域を初期化するステップＳＰ１５の手順を実行する。これにより、利用者情報に対応して管理用ＰＣ２からテンプレートが取得されるより前に、プリンタ３のメモリ３４２内に記憶された情報を消去（クリア）し、当該メモリ３４２の内部を、上記取得されるテンプレートのみとすることができる。
【００７３】
また、本実施形態では特に、管理用ＰＣ２は、利用者情報と対応するテンプレートとを対応づけるための相関としてのスケジュールデータベース２１１及びテンプレートデータベース２１２を記憶した、大容量記憶装置２０７をさらに有し、ステップＳＳ１０及びステップＳＳ１５の手順では、スケジュールデータベース２１１及びテンプレートデータベース２１２の相関を参照して、ステップＳＳ５の手順で取得した利用者情報に対応する少なくとも１つのテンプレートを特定するとともに、大容量記憶装置２０７に記憶された複数のテンプレートの中から、特定した少なくとも１つのテンプレートを抽出する。このように本実施形態においては、大容量記憶装置２０７に記憶されたスケジュールデータベース２１１及びテンプレートデータベース２１２の相関を用いることで、利用者情に対応するテンプレートを容易に特定し、抽出することができる。
【００７４】
また、本実施形態では特に、大容量記憶装置２０７は、利用者情報と、テンプレートに関連づけられた取引先情報と、の相関であるスケジュールデータベース２１１を記憶しており、ステップＳＳ１０及びステップＳＳ１５の手順では、スケジュールデータベース２１１の相関を参照して、ステップＳＳ５で取得した利用者情報に対応する取引先情報に関連づけられた少なくとも１つのテンプレートを特定するとともに、大容量記憶装置２０７に記憶された複数のテンプレートの中から、特定した少なくとも１つのテンプレートを抽出する。
【００７５】
本実施形態においては、タグカードＣ内の上記利用者情報を用いて（当該ユーザに関わりのある）、取引先、さらにはその取引先に予め関連づけられたテンプレートを特定して抽出することができる。これにより、例えばユーザがプリンタ３を携えて取引先へと向かおうとする際に、タグカードＣをプリンタ３のアンテナ３４５ａに対しかざすだけで、取引先においてプリンタ３において使用されるであろう好適なテンプレートだけが、管理用ＰＣ２からプリンタ３へと送信される。この結果、前述したテンプレート選択のためのユーザの労力負担を確実に低減することができる。
【００７６】
また、上記のような利用者情報と取引先情報とを対応づけるスケジュールデータベース２１１の相関を用いることで、複数のユーザと複数の取引先との対応付けが適宜のタイミングで変更される場合等であっても、当該タイミングにおいて、上記相関をその変更後の対応付けに合致するように変更（更新）することで容易に対応可能である。
【００７７】
また、本実施形態では特に、ステップＳＰ３５の手順では、１つのテンプレートを用いた印字、及び、ステップＳＳ５で取得した利用者情報に対応した印字（この例の利用者の氏名）、を被印字テープ１０３に形成して印字ラベルＬを生成する。これにより、ユーザが上記の手法によりプリンタ３により作成する印字ラベルＬにおいて、当該ユーザの氏名や識別情報等を併せて印字表記することができる。
【００７８】
なお、タグカードＣに記憶させる利用者情報として当該タグカードＣを所有するユーザの氏名やＩＤ以外にも、例えば所属部署や役職などといった当該ユーザの属性を示す情報などを含めてもよい。この場合には、それら属性情報もスケジュールデータベース２１１及びテンプレートデータベース２１２の検索キーとして利用でき、またプリンタ３での印字内容としても利用できる。
【００７９】
＜変形例＞
なお、本発明は、上記実施形態に限られるものではなく、その趣旨及び技術的思想を逸脱しない範囲内で種々の変形が可能である。以下、そのような変形例を順を追って説明する。なお、各変形例において、上記実施形態と同等の部分には同一の符号を付し、適宜説明を省略又は簡略化する。
【００８０】
（１）業務内容に対応したテンプレートを取得する場合
上記実施形態では、ユーザが担当する取引先で使用するテンプレートをプリンタ３に取得させる場合を例に説明したが、本発明はこれに限られない。例えば、複数のユーザがそれぞれ異なる複数の業務内容を分担して従事しており、それら複数のユーザが共有する１つのプリンタ３に対してある１人のユーザが利用者となって当該ユーザが従事する業務内容で使用するテンプレートを取得する場合にも本発明の印刷管理システムを利用できる。
【００８１】
このような本変形例の場合の印刷管理システムにおいて実行される処理と情報の流れを、上記図６に対応する図９に示す。この図９が示す処理と情報の内容において、上記図６で示した上記実施形態の場合との相違点は、スケジュールデータベース２１１Ａとテンプレートデータベース２１２Ａのそれぞれが記憶する相関である。そのうちスケジュールデータベース２１１Ａは、カレンダ情報に対応する１日分のスケジュールが業務スケジュールであり、その業務スケジュールには、当該印刷管理システムを利用する複数の利用者ごとに、当該カレンダ情報の年月日で当該利用者が従事する予定の業務内容の情報が記録されている。そしてスケジュールデータベース２１１Ａでは、参照する業務スケジュールにおいて受信した利用者情報を検索キーとし、その利用者情報（図示する例では「利用者Ａ」）に対応する業務情報（図示する例では「業務Ｅ」、「業務Ｊ」）を検索し、出力する。
【００８２】
次に管理用ＰＣ２は、上記スケジュールデータベース２１１Ａから出力された業務情報を検索キーとして、その業務情報に対応する少なくとも１つのテンプレートをテンプレートデータベース２１２Ａで検索し、抽出する。つまり、このように抽出されたテンプレートは、利用者（「利用者Ａ］）がその日に従事する予定の業務内容（「業務Ｅ」、「業務Ｊ」）で使用する可能性が高い情報を含んだテンプレートとなる。そして管理用ＰＣ２は、抽出されたテンプレート（図示する例では「業務Ｅ」のものが２つ、「業務Ｊ」のものが３つ）をプリンタ３へ返信する。
【００８３】
図１０には、以上のようにプリンタ３が取得した利用者の業務内容に対応するテンプレートを利用して作成した印字ラベルＬの一例を表している。図示する例では、印字ラベルＬは小売店で販売する商品の値札であり、印字ラベルＬの矩形表示領域のうちの左端の上段位置に当該印字ラベルＬを使用する店舗名（図示する例では「スーパー△△△」）が印刷され、左端の中段位置に業務内容（図示する例では「今日の総菜」という管理対象の商品種別）が印刷され、右端の上方位置に利用者Ａの氏名が管理者として印刷され、左右に渡る下段位置に商品名とその値段が印刷されている。テンプレートは、これら店舗名、業務内容、管理者、及び商品名と値段の各印字オブジェクトそれぞれについて、それぞれの配置、スタイル、ポイント、及び印字内容などの情報があらかじめ所定の態様で割り付けられた印字データである。そしてユーザは、必要に応じてプリンタ３の操作部を介したテンプレートの編集操作を行い、これをプリンタ３に印刷させて印字ラベルＬを作成する。
【００８４】
なお、本変形例の印刷管理システムにおいて実行される操作及び制御の内容については、管理用ＰＣ２がスケジュールデータベース２１１Ａで出力するのが業務情報である点と、テンプレートデータベース２１２Ａがその業務情報を検索キーとしてテンプレートを出力する点の２点以外は上記実施形態の場合の図８に示したシーケンスチャートとほぼ同様となる（図示省略）。つまり、本変形例におけるスケジュールデータベース２１１Ａとテンプレートデータベース２１２Ａが、請求項記載の選択要因情報と対応するテンプレートとを対応づける相関に相当し、スケジュールデータベース２１１Ａが請求項記載の選択要因情報としての利用者情報と、テンプレートに関連づけられた業務情報と、の相関に相当する。
【００８５】
以上説明したように、本変形例の印刷管理システムでは、大容量記憶装置２０７は、利用者情報と、テンプレートに関連づけられた業務情報と、の相関であるスケジュールデータベース２１１Ａを記憶しており、ステップＳＳ１０及びステップＳＳ１５の手順では、スケジュールデータベース２１１Ａの相関を参照して、ステップＳＳ５で取得した利用者情報に対応する業務情報に関連づけられた少なくとも１つのテンプレートを特定するとともに、大容量記憶装置２０７に記憶された複数のテンプレートの中から、特定した少なくとも１つのテンプレートを抽出する。
【００８６】
本変形例においては、タグカードＣ内の上記利用者情報を用いて（当該ユーザに関わりのある）、業務内容、さらにはその業務内容に予め関連づけられたテンプレートを特定して抽出することができる。これにより、例えばユーザがプリンタ３を携えて所定の業務へと向かおうとする際に、タグカードＣをプリンタ３のアンテナ３４５ａに対しかざすだけで、その業務遂行時にプリンタ３において使用されるであろう好適なテンプレートだけが、管理用ＰＣ２からプリンタ３へと送信される。この結果、前述したテンプレート選択のためのユーザの労力負担を確実に低減することができる。
【００８７】
また、上記のような利用者情報と業務情報とを対応づけるスケジュールデータベース２１１Ａの相関を用いることで、複数のユーザと複数の業務との対応付けが適宜のタイミングで変更される場合等であっても、当該タイミングにおいて、上記相関をその変更後の対応付けに合致するように変更（更新）することで容易に対応可能である。
【００８８】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００８９】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
但し、例えばしきい値（図８のシーケンスチャート参照）や基準値等、所定の判定基準となる値あるいは区切りとなる値の記載がある場合は、それらに対しての「同一」「等しい」「異なる」等は、上記とは異なり、厳密な意味である。
【００９０】
なお、以上において、図５、図６、図９等の各図中に示す矢印は信号の流れの一例を示すものであり、信号の流れ方向を限定するものではない。
【００９１】
また、図８等に示すシーケンスチャートは本発明を上記フローに示す手順に限定するものではなく、発明の趣旨及び技術的思想を逸脱しない範囲内で手順の追加・削除又は順番の変更等をしてもよい。
【００９２】
また、以上既に述べた以外にも、上記実施形態や各変形例による手法を適宜組み合わせて利用しても良い。
【００９３】
その他、一々例示はしないが、本発明は、その趣旨を逸脱しない範囲内において、種々の変更が加えられて実施されるものである。
【符号の説明】
【００９４】
１                印刷管理システム
２                管理用ＰＣ（管理端末）
３                プリンタ（可搬型印刷装置）
２３              印字ヘッド（印刷手段）
１０３            被印字テープ（被印字媒体）
１０８            テープ送りローラ駆動軸（搬送手段）
２０１            ＣＰＵ（端末側制御手段、制御手段、演算手段）
２０７            大容量記憶装置（端末側テンプレート記憶手段、
テンプレート記憶手段、相関記憶手段）
２１１、２１１Ａ  スケジュールデータベース
２１２、２１２Ａ  テンプレートデータベース
３４１            制御回路（装置側制御手段）
３４２            メモリ（装置側テンプレート記憶手段）
３４５            ＮＦＣ用通信部
３４５ａ          アンテナ（通信手段）
Ｃ                タグカード（通信媒体）
Ｌ                印字ラベル（印刷物）
【図１】
2020135484.tif 000003
【図２】
2020135484.tif 000004
【図３】
2020135484.tif 000005
【図４】
2020135484.tif 000006
【図５】
2020135484.tif 000007
【図６】
2020135484.tif 000008
【図７】
2020135484.tif 000009
【図８】
2020135484.tif 000010
【図９】
2020135484.tif 000011
【図１０】
2020135484.tif 000012